(57)【要約】【課題】ペットの姿勢を一定に保持した状態で飼い主がペットの身体を容易に洗うことができ、かつ、コンパクトに収納することができるペット用洗浄器具およびそれを備えたペット用洗浄器具セットを提供する。【解決手段】ペット用洗浄器具１は、ペットを洗浄する器具であり、浴槽１０と姿勢保持手段２０と蓋体５０とを備えている。浴槽１０は、底板１２と、底板１２の周縁部から立ち上がった側板１４と、を有する。姿勢保持手段２０は、底板１２の上方に配置されるように側板１４に架け渡され、ペットの腹部を支えることによりペットの姿勢を保持する。蓋体５０は、浴槽１０の上に着脱自在に取り付けられている。蓋体５０は、浴槽１０の上に設けられ、座面５７を有する蓋本体５５と、蓋本体５５に設けられた脚部６５と、を有している。【選択図】図２
2014171455.tif 000002
【特許請求の範囲】
【請求項１】
ペットを洗浄するペット用洗浄器具であって、
底板と、前記底板の周縁部から立ち上がった側板と、を有する浴槽と、
前記底板の上方に配置されるように前記側板に架け渡され、前記ペットの腹部を支えることにより前記ペットの姿勢を保持する姿勢保持手段と、
前記浴槽の上に着脱自在に取り付けられた蓋体と、
を備え、
前記蓋体は、
前記浴槽の上に設けられ、座面を有する蓋本体と、
前記蓋本体に設けられた脚部と、
を有している、ペット用洗浄器具。
【請求項２】
前記浴槽には、前記姿勢保持手段のうち前記浴槽内における最下端部の前記底板からの高さを調節する高さ調節機構が設けられている、請求項１に記載のペット用洗浄器具。
【請求項３】
前記浴槽には、前記姿勢保持手段の長さを調節する長さ調節機構が設けられている、請求項１または２に記載のペット用洗浄器具。
【請求項４】
前記姿勢保持手段は、前記姿勢保持手段が架け渡された前記側板に沿ってスライド可能に構成されている、請求項１〜３の何れか一つに記載のペット用洗浄器具。
【請求項５】
前記姿勢保持手段は、前記側板に固定されたベルトである、請求項１〜４の何れか一つに記載のペット用洗浄器具。
【請求項６】
前記蓋体の脚部は長さ調整自在である、請求項１〜５の何れか一つに記載のペット用洗浄器具。
【請求項７】
前記脚部には、脚部滑り止め手段が設けられている、請求項１〜６の何れか一つに記載のペット用洗浄器具。
【請求項８】
前記脚部は、前記蓋本体の下面に取り付けられている、請求項１〜７の何れか一つに記載のペット用洗浄器具。
【請求項９】
前記浴槽の下面には、滑り止め手段が設けられている、請求項１〜８の何れか一つに記載のペット用洗浄器具。
【請求項１０】
前記浴槽には、前記浴槽の内外を貫く水抜き孔が形成され、
前記水抜き孔に設けられたフィルタを備えている、請求項１〜９の何れか一つに記載のペット用洗浄器具。
【請求項１１】
前記蓋本体には、把持可能なグリップ部が設けられている、請求項１〜１０の何れか一つに記載のペット用洗浄器具。
【請求項１２】
前記１〜１１の何れか一つに記載のペット用洗浄器具と、
前記浴槽における前記側板の上端部に着脱自在に形成され、ペットを上に載せて乾かすことが可能な載せ板と、
を備え、
前記載せ板には、複数の孔が形成されている、ペット用洗浄器具セット。
【発明の詳細な説明】
【技術分野】
【０００１】
本発明は、ペット用洗浄器具およびそれを備えたペット用洗浄器具セットに関する。
【背景技術】
【０００２】
近年、犬や猫等のペットを飼う家庭が増えており、人とペットとが同じ空間で生活することが多くなっている。ペットには、体毛にノミ、シラミ等の寄生虫が棲みつくおそれがある。そのため、ペットを清潔に保つために、ペットを洗うことが広く行われている。ペットを洗う際、ペットが逃げ回ったり暴れたりすることがあり、ペットに適した洗浄器具を使用することが好ましい。そこで、様々なペット用洗浄器具が開発されている。
【０００３】
例えば、特許文献１には、頭部を露出するようにペットを収容する容器と、上記容器内に収容したペットの姿勢を保持する手段とから成るエアーシャワー洗浄装置が開示されている。特許文献２には、水抜き口が形成された容器状の浴槽本体を備えるペット用浴槽が開示されている。特許文献３には、金属製のフレームに支えられたバスタブを有するペット浴槽が開示されている。
【先行技術文献】
【特許文献】
【０００４】
【特許文献１】実用新案登録第３１３０１４３号公報
【特許文献２】実用新案登録第３０２８７６４号公報
【特許文献３】特開２０１１−３０５１６号公報
【発明の概要】
【発明が解決しようとする課題】
【０００５】
ところで、近年、飼い主が家庭内でペットを洗うことが多くなっている。家庭内でペットを洗う際、飼い主がペットの全身を一度に洗うことができることが好ましい。また、飼い主が楽な姿勢でペットを洗うことができることや、ペットが逃げ回ったり暴れたりしないようにペットの姿勢を一定に保持できることが好ましい。しかしながら、特許文献１のエアーシャワー洗浄装置では、ペットの頭部を洗うことは容易ではあるが、ペットの胴体を洗うことは困難であった。特許文献２のペット用浴槽では、ペットが暴れないように飼い主がペットを支えなければならず、ペットを支えるための体力が必要であった。また、ペットを洗う際に、飼い主が屈む必要があるため、飼い主の身体の負担が大きかった。特許文献３のペット浴槽では、特許文献２のペット用浴槽と同様に、飼い主にはペットを支えるための体力が必要であった。また、上述のペット用洗浄器具は、ペットを洗うための専用の器具であり、ペットを洗浄するとき以外には所定の場所に収納される。そのため、この種のペット用洗浄器具は、持ち運びが容易であり、かつ、コンパクトに収納できることが好ましい。しかしながら、特許文献１〜３に記載された器具は、そのままの状態で収納するものであり、収納スペースの確保が必要であった。また、特許文献３のペット浴槽は、業務用であり、持ち運びが困難であった。
【０００６】
本発明は、かかる点に鑑みてなされたものであり、その目的は、ペットの姿勢を一定に保持した状態で飼い主がペットの全身を容易に洗うことができ、かつ、コンパクトに収納することができるペット用洗浄器具およびそれを備えたペット用洗浄器具セットを提供することである。
【課題を解決するための手段】
【０００７】
本発明に係るペット用洗浄器具は、ペットを洗浄する器具である。前記ペット用洗浄器具は、浴槽と姿勢保持手段と蓋体とを備えている。前記浴槽は、底板と、前記底板の周縁部から立ち上がった側板と、を有する。前記姿勢保持手段は、前記底板の上方に配置されるように前記側板に架け渡され、前記ペットの腹部を支えることにより前記ペットの姿勢を保持する。前記蓋体は、前記浴槽の上に着脱自在に取り付けられている。また、前記蓋体は、前記浴槽の上に設けられ、座面を有する蓋本体と、前記蓋本体に設けられた脚部と、を有している。
【０００８】
前記ペット用洗浄器具を用いるときには、姿勢保持手段の上にペットの腹部を載せた状態で、浴槽の中にペットを入れる。このとき、ペットの腹部は姿勢保持手段によって支えられる。そのため、飼い主がペット洗う際、姿勢保持手段によってペットの姿勢を一定に保持することができる。したがって、飼い主は、自らの手でペットを支える必要がなく、両手でペットを洗うことができる。よって、ペットを容易に洗うことができる。また、前記ペット用洗浄器具によれば、蓋体は、ペットを洗う際の飼い主の椅子として使用することができる。そのため、飼い主は、蓋体に座って、あまり体を屈ませずにペットを洗うことができる。よって、ペットを洗う際、飼い主の身体の負担を軽減することができる。また、蓋体は、ペット用洗浄器具を片付ける際には、浴槽に取り付ける蓋として使用するため、ペット用洗浄器具をコンパクトに収納することができる。また、蓋体を浴槽に取り付けた状態では、ペット用洗浄器具は、人が入浴する際に利用可能な椅子として使用することができる。
【０００９】
本発明の好ましい一態様によれば、前記浴槽には、前記姿勢保持手段のうち前記浴槽内における最下端部の前記底板からの高さを調節する高さ調節機構が設けられている。
【００１０】
上記態様によれば、姿勢保持手段の浴槽内における最下端部の底板からの高さを調節することで、様々な大きさのペット（例えば、脚の長さが異なるペット）に対して、姿勢を一定に保持することができる。よって、本ペット用洗浄器具は、様々な大きさのペットに対して使用することができる。また、姿勢保持手段の浴槽内における最下端部の底板からの高さを調節することにより、姿勢保持手段でペットの腹部を支えつつ、ペットの足を床面に付かせることができる。ペットの腹部が姿勢保持手段によって支えられているとペットは安心し、おとなしくなりやすい。よって、ペットのストレスを緩和することができる。
【００１１】
本発明の好ましい他の一態様によれば、前記浴槽には、前記姿勢保持手段の長さを調節する長さ調節機構が設けられている。
【００１２】
上記態様によれば、ペットの大きさに合わせて姿勢保持手段の長さを調節することができる。そのため、様々な大きさのペットに対して、本発明のペット用洗浄器具を使用することができる。また、姿勢保持手段の長さを調節することにより、姿勢保持手段でペットの腹部を支えつつ、ペットの足を床面に付かせることができる。ペットの腹部が姿勢保持手段によって支えられているとペットは安心し、おとなしくなりやすい。よって、ペットのストレスを緩和することができる。
【００１３】
本発明の好ましい他の一態様によれば、前記姿勢保持手段は、前記姿勢保持手段が架け渡された前記側板に沿ってスライド可能に構成されている。
【００１４】
上記態様によれば、ペットの大きさに合わせて姿勢保持手段を姿勢保持手段が架け渡された側板に沿ってスライドさせることができる。そのため、様々な大きさのペットに対して、本発明のペット用洗浄器具を使用することができる。
【００１５】
本発明の好ましい他の一態様によれば、前記姿勢保持手段は、前記側板に固定されたベルトである。
【００１６】
上記態様によれば、ベルトの上にペットの腹部を載せた状態で、浴槽の中にペットを入れる。そのことによって、ペットの姿勢を一定に保持することができる。よって、飼い主は、手でペットを支えることなく、両手でペットを洗うことができる。
【００１７】
本発明の好ましい他の一態様によれば、前記蓋体の脚部は長さ調整自在である。
【００１８】
上記態様によれば、飼い主の好みに合わせて、蓋体の脚部の高さを調節することができる。よって、飼い主が好みの高さの蓋体に座って、あまり屈む必要がなく、ペットを洗うことができる。そのため、飼い主の身体の負担を軽減させることができる。
【００１９】
本発明の好ましい他の一態様によれば、前記脚部には、脚部滑り止め手段が設けられている。
【００２０】
上記態様によれば、蓋体が床面に対して滑ることを防止することができる。そのため、飼い主が、蓋体に座ってペットを洗う際、蓋体に座ることに起因して、滑って怪我をすることを未然に防ぐことができる。
【００２１】
本発明の好ましい他の一態様によれば、前記脚部は、前記蓋本体の下面に取り付けられている。
【００２２】
上記態様によれば、脚部が蓋本体の下面に取り付けられているため、浴槽の上に蓋体を被せたとき、脚部は浴槽の中に位置する。よって、脚部を蓋本体に取り付けた状態で、ペット用洗浄器具をコンパクトに収納することができる。
【００２３】
本発明の好ましい他の一態様によれば、前記浴槽の下面には、滑り止め手段が設けられている。
【００２４】
上記態様によれば、ペットを洗う際、ペットが暴れて浴槽が動くことを防止することができる。よって、ペットをより容易に洗うことができる。
【００２５】
本発明の好ましい他の一態様によれば、前記浴槽には、前記浴槽の内外を貫く水抜き孔が形成され、前記水抜き孔に設けられたフィルタを備えている。
【００２６】
上記態様によれば、浴槽の中に溜まった水を水抜き孔から外部に排出することができる。ところで、ペットを洗ったときに、ペットの体毛が抜ける場合が多い。上記態様によれば、抜けたペットの毛はフィルタによって捕捉されるので、ペットの毛が外部に流出することが防止される。例えば浴室内でペットを洗う場合、ペットの毛が外部に流出すると、その毛が浴室の排水口に詰まるおそれがある。しかし、上記態様によれば、そのような事態を防止することができる。
【００２７】
本発明の好ましい他の一態様によれば、前記蓋本体には、把持可能なグリップ部が設けられている。
【００２８】
上記態様によれば、グリップ部を持つことで、ペット用洗浄器具を持ち運ぶことが容易となる。
【００２９】
本発明に係るペット用洗浄器具セットは、前記何れかのペット用洗浄器具と、前記浴槽における前記側板の上端部に着脱自在に設けられ、ペットを上に載せて乾かすことが可能な載せ板と、を備えている。前記載せ板には、複数の孔が形成されている。
【００３０】
前記ペット用洗浄器具セットによれば、ペットを載せ板を介して浴槽の上に載せることができる。そのため、飼い主は、体をあまり屈めることなく、浴槽の上でペットの全身を乾かすことができる。よって、ペットを乾かす際、飼い主の体の負担を軽減することができる。また、載せ板には複数の孔が形成されているため、ペットの全身を乾かす際、ペットから落ちる水が載せ板の孔を通して下に落ちる。そのため、載せ板の上に水が溜まりにくい。また、載せ板を浴槽の上に置くことで、踏み台として利用することができる。
【発明の効果】
【００３１】
本発明によれば、ペットの姿勢を一定に保持した状態で飼い主がペットの全身を容易に洗うことができ、かつ、コンパクトに収納することができるペット用洗浄器具およびそれを備えたペット用洗浄器具セットを提供することができる。
【図面の簡単な説明】
【００３２】
【図１】第１実施形態に係るペット用洗浄器具の斜視図であり、蓋体が浴槽に取り付けられた状態を示す図である。
【図２】第１実施形態に係るペット用洗浄器具の斜視図であり、蓋体が浴槽から取り外された状態を示す図である。
【図３】浴槽の平面図である。
【図４】浴槽の側面における部分断面図である。
【図５】浴槽の底面図である。
【図６】図３のＶＩ−ＶＩ断面における断面図である。
【図７】蓋体の正面図である。
【図８】蓋体の平面図である。
【図９】蓋体の底面図である。
【図１０】脚部を示す図である。
【図１１】脚部固定具を示す図であり、図１１（ａ）は、脚部固定具の平面図であり、図１１（ｂ）は、脚部固定具の正面図である。
【図１２】脚部の上側筒状部および下側筒状部が脚部固定具によって固定された状態を示す図である。
【図１３】図１２のＸＩＩＩ−ＸＩＩＩ断面における断面図である。
【図１４】浴槽に載せ板を設置した状態を示す図である。
【図１５】ペットを洗う際のペット用洗浄器具の使用状態を示す図である。
【図１６】ペットを洗う以外の用途にペット用洗浄器具を使用した状態を示す図である。
【図１７】第２実施形態に係るペット用洗浄器具における浴槽の斜視図である。
【図１８】第３実施形態に係るペット用洗浄器具における浴槽の斜視図である。
【図１９】他の実施形態に係るペット用洗浄器具における浴槽の斜視図である。
【発明を実施するための形態】
【００３３】
以下、本発明の一実施形態に係るペット用洗浄器具について説明する。ここで説明される実施形態は、当然ながら特に本発明を限定することを意図したものではない。また、同じ作用を奏する部材・部位には同じ符号を付し、重複する説明は省略または簡略化する。
【００３４】
＜第１実施形態＞
先ず、第１実施形態に係るペット用洗浄器具１Ａについて説明する。図１は、本実施形態に係るペット用洗浄器具１Ａの斜視図であり、蓋体５０が浴槽１０に取り付けられた状態を示す図である。図２は、本実施形態に係るペット用洗浄器具１Ａの斜視図であり、蓋体５０が浴槽１０から取り外された状態を示す図である。なお、各図面において、符号Ｆ、Ｒｅ、ＲおよびＬは、それぞれの前、後、右および左を示している。ただし、これらの方向の説明は便宜上のものに過ぎず、ペット用洗浄器具１Ａの構造や使用方法等を何ら限定するものではない。
【００３５】
図１に示すように、本実施形態に係るペット用洗浄器具１Ａ（以下、洗浄器具１Ａという）は、ペットＰ（図４参照）の姿勢を一定に保持してペットＰを洗浄するための器具である。ペットＰの種類は、特に限定されるものではないが、例えば、犬または猫等の四足歩行動物である。ペットＰを洗う場所は特に限定されず、例えば、浴室の洗い場または浴槽内であってもよく、庭であってもよい。図２に示すように、洗浄器具１Ａは、浴槽１０と、姿勢保持手段２０と、浴槽１０の上に着脱自在に取り付けられた蓋体５０と、を備えている。
【００３６】
図３は、浴槽１０の平面図である。図４は、浴槽１０の側面における部分断面図であり、浴槽１０内にペットＰを入れた状態を示す図である。図５は、浴槽１０の底面図である。図６は、図３のＶＩ−ＶＩ断面における断面図である。
【００３７】
浴槽１０は、図４に示すように、ペットＰを洗う際にペットＰを入れるためのものである。具体的に、本実施形態では、ペットＰの腹部および脚部が浴槽１０の中に入っている。ペットＰの頭部および胴体の一部（背部）は、浴槽１０から露出している。本実施形態では、浴槽１０は容器状であり、上向きに開口している。浴槽１０は、ペットＰの腹部および脚部が入ることができる程度の容量を有するものが好ましい。本実施形態では、浴槽１０は、底板１２と、側板１４と、を有している。
【００３８】
図３に示すように、本実施形態では、底板１２は、平面視において略四角形状である。ただし、底板１２の形状は特に限定されない。側板１４は、図６に示すように、底板１２の周縁部から立ち上がっている。本実施形態では、側板１４は、鉛直方向から多少内側に傾いて上方に延びている。そのため、図６に示すように、浴槽１０は、断面が台形形状である。また、図４に示すように、浴槽１０は、側面視において台形形状である。このことによって、安定した状態で浴槽１０を床面に設置することができる。なお、側板１４は、鉛直方向に延びていてもよい。この場合、浴槽１０の中にペットＰを入れやすくなる。本実施形態では、側板１４における上端部１５の厚さと下端部の厚さは略同じである。このため、浴槽１０を軽量化することができ、持ち運ぶことが容易となる。なお、側板１４は、上端部から下端部に向かうに従って厚くなるようなものであってもよい。この場合、浴槽１０を安定して床面に設置することができる。また、底板１２および側板１４の材料は特に限定されず、例えば、樹脂製である。また、本実施形態では、底板１２と側板１４とは、一体で形成されているが、それぞれが別体で形成されたものであってもよい。
【００３９】
以下の説明では、側板１４のうち前側、後側、右側および左側の部位を、それぞれ前側板１４Ｆ、後側板１４Ｒｅ、右側板１４Ｒおよび左側板１４Ｌと言うこととする。姿勢保持手段は、ペットＰを支えることで、ペットＰの姿勢を一定に保持するものである。姿勢保持手段は、ペットＰの体に接触するように構成されており、具体的には、ペットＰの腹部を支えるように構成されている。犬等のように四足歩行動物には、腹部を支えるとおとなしくなる性質を有するものがある。このような四足歩行動物に対しては、腹部を支えることによって姿勢を保持するだけでなく、おとなしくさせるという効果も期待することができる。本実施形態では、姿勢保持手段はベルト２０から構成されている。
【００４０】
ベルト２０は、図２に示すように、浴槽１０の上方に配置されるように側板１４に架け渡されている。具体的には、本実施形態では、ベルト２０は、右側板１４Ｒおよび左側板１４Ｌの中央部分の上端部１５に架け渡され、上端部１５に固定されている。また、ベルト２０は、側板１４の上端部１５よりも下であって、側板１４の高さ方向の中間よりも上の位置に固定されていてもよい。本実施形態では、ベルト２０と前側板１４Ｆとの間、および、ベルト２０と後側板１４Ｒｅとの間には、隙間が形成されている。上記隙間にペットＰの脚を通して、ベルト２０によってペットＰの腹部を支える。本実施形態では、平面視において、ベルト２０の面積は、側板１４によって囲まれた内側の面積の１／２以下であることが好ましい。言い換えると、平面視において、ベルト２０の面積は、上記隙間の面積以下である。このことによって、上記隙間にペットＰの脚を入れることが容易になる。
【００４１】
ここでは、ベルト２０は伸縮自在である。ベルト２０は例えばゴム製である。ベルト２０を前後に引っ張ることにより、ベルト２０の前後方向の長さを調整することができる。ただし、ベルト２０の材料はゴムに限られない。なお、ベルト２０は、蛇腹状に前後に折り畳まれていてもよい。この場合、ベルト２０を前後に引っ張ることによりベルト２０が展開され、ベルト２０の前後方向の長さを調整することができる。また、ベルト２０は、その一部が左右に延びる軸に巻かれていてもよい。この場合、ベルト２０の一部を前方または後方に引っ張ることにより、ベルト２０の一部が上記軸から繰り出され、ベルト２０の前後方向の長さを調整することができる。
【００４２】
本実施形態では、ベルト２０は透水性を有している。透水性を有する材料でベルト２０を形成してもよく、ベルト２０にスリット等を設けることによって構造的に透水性を備えさせてもよい。また、ベルト２０の幅（すなわち前後方向の長さ）は特に限定されないが、ペットＰの腹部を安定して支えることが可能な幅が好ましい。
【００４３】
本実施形態では、図２に示すように、ベルト２０は、ベルト固定具２２によって側板１４（詳しくは、右側板１４Ｒおよび左側板１４Ｌ）の上端部１５に固定されている。ベルト固定具２２は、側板１４の上端部１５に嵌め込まれるものである。本実施形態では、ベルト固定具２２と側板１４の上端部１５との間にベルト２０を挟み込むことによって、ベルト２０を側板１４の上端部１５に固定している。ここでは、ベルト固定具２２は、ベルト２０のうち浴槽１０内における最下端部の底板１２からの高さを調節し、かつ、ベルト２０の浴槽１０内における長さを調節するものである。具体的には、ベルト固定具２２は、ベルト２０の固定位置を適宜変更することによって、ベルト２０のうち浴槽１０内における最下端部の底板１２からの高さを調節すると共に、ベルト２０の浴槽１０内における長さを調節することが可能である。なお、ここでは、「ベルト２０のうち浴槽１０内における最下端部」は、ベルト２０の最も垂れ下った位置であり、ベルト２０のうちペットＰの腹部を支える箇所である。本実施形態では、ベルト固定具２２が本発明の高さ調節機構および長さ調節機構を構成している。なお、本発明の高さ調節機構は、ベルト２０が固定される側板１４の位置を適宜変更することで、ベルト２０のうち浴槽１０内における最下端部の底板１２からの高さを調節してもよい。また、本発明の高さ調節機構は、底板１２が配置される側板１４の位置を適宜変更する、言い換えると、底板１２の高さを調節することで、ベルト２０のうち浴槽１０内における最下端部の底板１２からの高さを調節してもよい。
【００４４】
また、ここでは、ベルト２０は、ベルト２０が架け渡された側板１４（ここでは、右側板１４Ｒおよび左側板１４Ｌ）に沿ってスライド可能に構成されている。本実施形態では、右側板１４Ｒおよび左側板１４Ｌの上端部１５に固定するベルト固定具２２の位置を変えることで、ベルト２０の前後方向の位置を調整することが可能である。このことによって、様々な大きさのペットＰに対して、ペットＰの腹部を好適に支えることができる。
【００４５】
図３に示すように、洗浄器具１Ａは、水抜き孔２５と、フィルタ２７と、を備えている。水抜き孔２５は、浴槽１０に形成されており、浴槽１０の内外を貫く孔である。本実施形態では、図６に示すように、水抜き孔２５は、側板１４の後側板１４Ｒｅにおける左側の下部に形成されている。なお、水抜き孔２５は、前側板１４Ｆ、右側板Ｒおよび左側板Ｌのいずれかに形成されていてもよいが、その場合は側板１４の下部に形成されていることが好ましい。また、水抜き孔２５は、底板１２に形成されていてもよい。このことによって、浴槽１０を傾けることなく、浴槽１０内の水を水抜き孔２５を通して外部へ流すことができる。本実施形態では、水抜き孔２５は、円形状であるが、その形状は特に限定されない。図３に示すように、水抜き孔２５には、着脱可能な水抜き栓２４が取り付けられている。本実施形態では、水抜き栓２４は、浴槽１０の外側から水抜き孔２５に嵌め込まれているが、浴槽１０の内側から水抜き孔２５に嵌め込まれてもよい。水抜き栓２４は、浴槽１０の中に水を溜めたいときは、水抜き孔２５に取り付け、浴槽１０内の水を外部へ流したいときは、水抜き孔２５から取り外せばよい。
【００４６】
ところで、ペットＰを洗う際にペットＰの体毛が抜けることが多い。そこで、水抜き孔２５には、ペットＰの毛等を捕捉するフィルタ２７が設けられていてもよい。フィルタ２７は、水を通すがペットＰの抜け毛等を通しにくくするものである。本実施形態では、フィルタ２７は、水抜き孔２５の外側に取り付けられ、水抜き孔２５を覆っているが、水抜き孔２５の内側に取り付けられていてもよい。フィルタ２７の構成は特に限定されないが、本実施形態では、フィルタ２７に複数の孔（図示せず）が形成されており、浴槽１０内の水は、水抜き孔２５およびフィルタ２７の上記孔を介して外部に流れる。
【００４７】
本実施形態では、図５に示すように、浴槽１０の底板１２の下面１３には、滑り止め板３０が設けられている。滑り止め板３０は、浴槽１０が床面に対して滑ることを防止するための板である。ここでは、滑り止め板３０は、表面が凸凹形状のゴム製の板であり、底板１２よりも多少小さい大きさである。なお、滑り止め板３０は、材質、形状および大きさは特に限定されず、滑りを防止するものであればよい。例えば、滑り止め板３０は、底板１２の下面１３の一部に設けられるような形状および大きさであってもよいし、複数の滑り止め板３０が底板１２の下面１３に並ぶように設けられてもよい。また、ここでは、滑り止め板３０は、底板１２の下面１３に取り付けられているが、底板１２の下面１３に一体的に形成されてもよい。本実施形態では、滑り止め板３０が滑り止め手段として機能する。なお、滑り止め手段としては、例えば、吸盤を有する部材であってもよい。
【００４８】
次に、蓋体５０を説明する。本実施形態では、蓋体５０は、洗浄器具１Ａを収納する際の浴槽１０に被せる蓋として機能すると共に、ペットＰを洗う際、飼い主が座るための椅子として機能する。図７は、蓋体５０の正面図である。図８は、蓋体５０の平面図である。図９は、蓋体５０の底面図である。図７に示すように、蓋体５０は、蓋本体５５と、グリップ部６０と、脚部６５と、を有している。
【００４９】
蓋本体５５は、図１に示すように、洗浄器具１Ａを収納する際、浴槽１０の上に設けられ、蓋を構成する部位である。また、蓋本体５５は、ペットＰを洗う際、飼い主が直接座る部位である。図８に示すように、蓋本体５５は、平面視において、略四角形状である。また、蓋本体５５は、平面視において、浴槽１０と略同じ大きさである。蓋本体５５の材質は特に限定されないが、例えば樹脂製である。
【００５０】
蓋本体５５の上面には、座面５７が設けられている。座面５７は、飼い主が座る部位である。座面５７の大きさは特に限定されないが、本実施形態では、座面５７は、蓋本体５５の上面よりも若干小さい形状であり、当該上面の中心に配置されている。このことにより、飼い主は、蓋体５０の中心に座ることができるため、安定して座ることができる。座面５７の表面は、ざらついていてもよい。この場合、飼い主が座ったとき、座面５７に対してお尻が滑ることを防止することができる。また、座面５７の表面の中央部分が下方に凹んでいてもよい。この場合、当該凹んだ部位にお尻を載せることで、安定して蓋体５０に座ることができる。
【００５１】
図８に示すように、グリップ部６０は、把持可能であり、蓋本体５５に設けられている。本実施形態では、２つのグリップ部６０が蓋本体５５の上面に着脱可能に取り付けられている。２つのグリップ部６０における一方のグリップ部６０は、蓋本体５５の上面における前部の中央部分に取り付けられ、他方のグリップ部６０は、蓋本体５５の上面における後部の中央部分に取り付けられている。本実施形態では、飼い主は、蓋体５０の右方向または左方向を向いて座る。そのため、飼い主が蓋体５０に座ったとき、２つのグリップ部６０は、飼い主の両側に位置する。そのため、飼い主は、手でグリップ部６０を握ることで容易に座ることができ、また、容易に立ち上がることができる。また、グリップ部６０は、蓋本体５５の上面の前部および後部の中央部分に設けられているので、飼い主は蓋体５０（蓋体５０を浴槽１０に取り付けた状態では、洗浄器具１Ａ）をバランス良く持ち上げることができる。
【００５２】
なお、グリップ部６０の個数は特に限定されるものではなく、１つであってもよい。また、グリップ部６０の位置は、特に限定されるものではない。例えば、グリップ部６０は、蓋本体５５の側面に位置していてもよい。
【００５３】
本実施形態では、図７に示すように、グリップ部６０は、外縁および内縁が湾曲している。そして、グリップ部６０と蓋本体５５の上面との間には隙間が形成されている。飼い主は、その隙間に手を入れてグリップ部６０を握ることで把持することが可能となる。ただし、グリップ部６０の構成は特に限定されるものではなく、把持可能なその他の構成であってもよい。また、本実施形態のグリップ部６０は、蓋本体５５に着脱可能に取り付けられているが、蓋本体５５と一体成形されていてもよい。
【００５４】
図９に示すように、脚部６５は、蓋本体５５の下面に取り付けられている。本実施形態では、脚部６５は４つあり、それぞれの脚部６５は、蓋本体５５の角近傍の下面に取り付けられている。各脚部６５は、直筒状である。しかし、脚部６５の位置、個数および形状は特に限定されない。例えば、脚部６５は、蓋本体５５の側面に取り付けられていてもよい。また、例えば、脚部６５は２つあり、２つの脚部６５は、それぞれ蓋本体５５の前後方向に延びるような板状のものであってもよい。左右の棒状の脚部６５同士が、横に延びる連結バーによって連結されていてもよい。本実施形態では、脚部６５は、蓋本体５５から真下に延びている。しかし、脚部６５は、蓋本体５５から外側に広がるように多少斜めに延びていてもよい。
【００５５】
脚部６５は、長さ調整が自在に構成されている。図１０は、脚部６５の上側筒状部６５ａおよび下側筒状部６５ｂを示す図である。図１１は、脚部固定具６７を示す図であり、図１１（ａ）は、脚部固定具６７の平面図であり、図１１（ｂ）は、脚部固定具６７の正面図である。図１２は、脚部６５の上側筒状部６５ａおよび下側筒状部６５ｂが脚部固定具６７によって固定された状態を示す図である。図１３は、図１２のＸＩＩＩ−ＸＩＩＩ断面における断面図である。本実施形態では、図１０に示すように、脚部６５は、筒状の上側筒状部６５ａおよび下側筒状部６５ｂと、上側筒状部６５ａと下側筒状部６５ｂとを固定する脚部固定具６７（図１１（ａ）参照）と、から構成されている。
【００５６】
上側筒状部６５ａおよび下側筒状部６５ｂは、互いに嵌め込まれるものである。上側筒状部６５ａには、固定孔６６ａが形成されている。下側筒状部６５ｂには、固定孔６６ｂが形成されている。本実施形態では、上下方向に並ぶように３つの固定孔６６ｂが下側筒状部６５ｂに形成されているが、その個数は特に限定されない。固定孔６６ａおよび固定孔６６ｂは、同じ形状であり同じ大きさであり、本実施形態では、共に四角形状である。なお、固定孔６６ａおよび固定孔６６ｂは、後述する脚部固定具６７の貫通板６７ｂが貫通できる孔であればよい。また、図示はしていないが、上側筒状部６５ａにおいて固定孔６６ａと対向する位置に同様の固定孔６６ａが形成されており、下側筒状部６５ｂにおいて、固定孔６６ｂと対向する位置に同様の固定孔６６ｂが形成されている。
【００５７】
本実施形態では、図１１（ａ）に示すように、脚部固定具６７は、支持部６７ａと貫通板６７ｂとから構成されている。支持部６７ａは、平面視においてＣ字状であり、一部が開口している。支持部６７ａは樹脂製である。図１１（ｂ）に示すように、貫通板６７ｂは、支持部６７ａの開口している部分と対向する支持部６７ａの内側部分に取り付けられており、支持部６７ａの開口している部分に延びている。本実施形態では、貫通板６７ｂは金属製である。
【００５８】
図１２に示すように、脚部６５の上側筒状部６５ａに下側筒状部６５ｂを嵌め込む。そして、上側筒状部６５ａの固定孔６６ａと下側筒状部６５ｂの何れかの固定孔６６ｂとを重ね合わせる。その後、重ね合わせた固定孔６６ａおよび固定孔６６ｂに脚部固定具６７の貫通板６７ｂを貫通させる。このとき、図１３に示すように、脚部固定具６７の支持部６７ａが脚部６５の上側筒状部６５ａおよび下側筒状部６５ｂに嵌め込まれ、脚部固定具６７が上側筒状部６５ａと下側筒状部６５ｂとを固定する。また、上側筒状部６５ａの固定孔６６ａと重ね合わせる下側筒状部６５ｂの固定孔６６ｂを変更することによって、脚部６５の高さを適宜調節することができる。本実施形態では、下側筒状部６５ｂの上下方向に３つ並ぶように固定孔６６ｂが形成されているため、脚部６５の高さを３段階にわたって調節することが可能である。
【００５９】
また、脚部６５は、互いに折り畳み可能な複数の脚部材によって構成されていてもよい。この場合、脚部材を折り畳むほど脚部の長さは短くなり、逆に、脚部材を展開するほど脚部の長さは長くなる。また、脚部６５は、互いに着脱可能な複数の脚部材によって構成されていてもよい。この場合、連結させる脚部材の本数を少なくするほど脚部の長さは短くなり、逆に、連結させる脚部材の本数を多くするほど脚部の長さは長くなる。この脚部３０の長さを自在にする構成は、公知の各種の脚部構造を利用することができる。
【００６０】
図７に示すように、脚部６５には、滑り止めキャップ６８が取り付けられている。脚部６５の一端は、蓋本体５５の下面に取り付けられ、脚部６５の他端には、滑り止めキャップ６８が取り付けられている。滑り止めキャップ６８は、蓋体５０が床面に対して滑らないようにするためのものである。この滑り止めキャップ６８の構成は特に限定されない。本実施形態では、滑り止めキャップ６８は、ゴム製であり、脚部６５の下側筒状部６５ｂの下端部に沿うような形状をしている。滑り止めキャップ６８は、４つの脚部６５における下側筒状部３０ｂの下端部にそれぞれ嵌め込むように取り付けられている。なお、滑り止めキャップ６８の下面には、吸盤（図示せず）が形成されていてもよい。本実施形態では、この滑り止めキャップ６８が本発明における脚部滑り止め手段を構成している。
【００６１】
図１４は、洗浄器具１Ａの上に載せ板７０を設置した状態を示す斜視図である。図１４に示すように、洗浄器具１Ａは、載せ板７０と共に使用してもよい。載せ板７０は、ペットＰ（図４参照）を上に載せて乾かすことが可能な板である。ペットＰを洗ったあとには浴槽１０内には水が付着しているため、浴槽１０内に入れた状態のままではペットＰを乾かしにくい。ペットＰを浴槽１０の外に出して乾かすことも考えられるが、そのとき、飼い主が屈んだ状態でペットＰを乾かすこととなり、飼い主の体の負担が大きくなる。そこで、図１４のように、洗浄器具１Ａの上に載せ板７０を設置し、この載せ板７０にペットＰを載せることで、飼い主があまり屈むことなくペットＰを乾かすことが可能となり、飼い主の体の負担を軽減させることができる。洗浄器具１Ａおよび載せ板７０の全体は、ペット用洗浄器具セット１００を構成する。載せ板７０は、浴槽１０における側板１４の上端部１５に着脱自在に配置されている。載せ板７０の具体的な形状は特に限定されないが、本実施形態では、載せ板７０は、平面視において浴槽１０と同じ大きさであり、略四角形状である。載せ板７０には、複数の孔７２が形成されている。この孔７２は、水を通す孔であり、載せ板７０の上面の水を載せ板７０の下に流す役割がある。本実施形態では、複数の孔７２は円形状であるが、水を通すことが可能な程度の大きさであるその他の形状であってもよい。
【００６２】
次に、洗浄器具１Ａを利用して、ペットＰを洗う方法について説明する。ここでは、本実施形態の洗浄器具１Ａを用いて自宅の浴室の洗い場でペットＰを洗う方法について説明する。図１５は、ペットＰを洗う際のペット用洗浄器具１Ａの使用状態を示す図である。図１５に示すように、ペットＰを洗う際には、浴槽１０はペットＰが入る浴槽として使用され、蓋体５０は飼い主が座るための椅子として使用される。そのため、蓋体５０を浴槽１０から取り外した状態で、浴室の洗い場に浴槽１０と蓋体５０とを配置する。次に、蓋体５０の脚部６５の長さを調節することで、蓋体５０を飼い主の座りやすい高さにする。図４に示すように、飼い主は、浴槽１０内にペットＰを入れる。詳しくは、ペットＰの脚を浴槽１０の側板１４とベルト２０との隙間に通した状態で浴槽１０内にペットＰを入れる。このとき、ペットＰの腹部がベルト２０に接触すると共に、ペットＰの足が浴槽１０の底板１２に付くことが好ましい。これは、ペットＰの底板１２から離れていると、ペットＰは不安に思い、暴れやすいからである。また、ペットＰの腹部がベルト２０に接触しているとペットＰは安心し、おとなしくなりやすいからである。ペットＰの足が浴槽１０の底板１２に付かない場合は、ベルト２０の長さを適切な長さに調節する。
【００６３】
このようにペットＰの腹部をベルト２０で支えた状態で、飼い主は、蓋体５０の座面５７に座って状態でペットＰを洗う。そのため、飼い主は、あまり体を屈めることなくペットＰを洗うこととなる。本実施形態では、図４に示すように、ペットＰの頭部および背部は露出しているので、容易に洗うことができる。また、ベルト２０と前側板１４Ｆとの間、および、ベルト２０と後側板１４Ｒｅとの間には隙間があり、浴槽１０にペットＰを入れた状態であっても、上記隙間は残っている。そのため、飼い主は、その隙間に手を入れることでペットＰの脚部を洗うことができる。本実施形態では、ベルト２０は伸縮自在であるので、ベルト２０のペットＰの腹部に対する位置をずらしながら、ペットＰの腹部のうちベルト２０と接している部位を洗うことができる。
【００６４】
本実施形態では、洗浄器具１Ａを使用してペットＰを洗った後、浴槽１０の側板１４の上端部１５に載せ板７０（図１４参照）を配置し、載せ板７０の上にペットＰを載せて乾かしてもよい。このとき、載せ板７０には孔７２が形成されているため、ペットＰから流れ落ちた水は、孔７２を通って載せ板７０の下に落ちる。このとき、飼い主は、蓋体５０に座ったままペットＰを拭いて乾かすことができる。
【００６５】
本実施形態では、浴槽１０の内部に溜まった水を浴槽１０の外部へ流したいとき、浴槽１０の水抜き栓２４を水抜き孔２５から取り外すことにより、水抜き孔２５を通して、浴槽１０の中の水を浴槽１０の外部へ流すことができる。水抜き孔２５にフィルタ２７が設けられている場合、抜けたペットＰの毛をフィルタ２７によって捕捉することができるので、ペットＰの毛が外部に流出することが防止される。例えば浴室内でペットＰを洗う場合、ペットＰの毛が浴槽１０の外部に流出すると、その毛が浴室の排水口に詰まるおそれがある。しかし、フィルタ２７を備えることにより、そのような事態を防止することができる。
【００６６】
ペットＰを洗った後に洗浄器具１Ａを片付ける際、浴槽１０の側板１４の上端部１５に、蓋体５０の蓋本体５５を取り付ける。このとき、脚部６５は蓋本体５５の下面５８に取り付けられているため、脚部６５は浴槽１０内に収納される。このとき、脚部６５の長さが長いために、脚部６５が蓋本体５５に取り付けられた状態では、脚部６５が浴槽１０からはみ出ることが考えられるが、この場合は、脚部６５の長さを短くすればよい。また、脚部６５を蓋本体５５から取り外して浴槽１０内に収納してもよい。また、本実施形態では、洗浄器具１Ａを片付ける際、ベルト２０が側板１４の上端部１５に架け渡された状態で、浴槽１０に蓋体５０を取り付けることが可能であるが、ベルト２０を側板１４から取り外して、浴槽１０に蓋体５０を取り付けるものであってもよい。この場合、ベルト２０は、浴槽１０から取り外した状態で浴槽１０内に収納できる。また、浴槽１０の側板１４に載せ板７０（図１４参照）が設置された状態であっても、蓋体５０を浴槽１０に取り付けることが可能であってもよい。この場合、載せ板７０を、浴槽１０内に収納することが可能である。
【００６７】
図１６は、ペットＰを洗う以外の用途に洗浄器具１Ａを使用した状態を示す図である。図１６に示すように、洗浄器具１Ａは、浴室内における椅子として使用することができる。洗浄器具１Ａはグリップ部６０を備えているので、利用者はグリップ部６０を握って体を支えながら、洗浄器具１Ａに座ったり、洗浄器具１Ａから立ち上がったりすることができる。そのため、高齢者であっても、洗浄器具１Ａを浴室内の椅子として容易に利用することができる。また、本実施形態では、グリップ部６０は上方に向けて突出している。そのため、グリップ部６０が利用者の左右をガードするので、利用者が蓋体５０上に座ったまま左右に滑ることは防止される。したがって、高齢者であっても、洗浄器具１Ａを浴室用の椅子として十分安心して利用することができる。
【００６８】
また、洗浄器具１Ａは、浴室用の椅子だけでなく、踏み台として使用することもできる。
【００６９】
このように、本実施形態に係る洗浄器具１Ａによれば、ペットＰを入れる浴槽１０と、ペットＰの腹部を支えることによりペットＰの姿勢を保持するベルト２０とを備えている。したがって、飼い主は、自らの手でペットＰを支える必要がなく、両手でペットＰを洗うことができる。よって、ペットＰを容易に洗うことができる。また、洗浄器具１Ａは、ペットＰを洗う際の飼い主の椅子として使用することができる蓋体５０を備えている。飼い主は、蓋体５０の座面５７に座ってペットＰを洗うことができるため、ペットＰを洗う際の身体の負担を軽減することができる。また、洗浄器具１Ａを片付けるとき、蓋体５０を浴槽１０の上に被せることでコンパクトに収納することができる。
【００７０】
また、本実施形態の洗浄器具１Ａは、図１６に示すように、入浴用の椅子として使用することができる。例えば、ペットＰを浴室で洗うこととし、普段は浴室において入浴用の椅子として利用することとすれば、洗浄器具１Ａを浴室に置いたままにしておくことができ、ペットＰを洗う度に洗浄器具１Ａを持ち運ぶ必要がなくなる。また、洗浄器具１Ａを収容する場所を確保する必要がない。ただし、洗浄器具１Ａの使用場所は必ずしも浴室に限らず、例えば庭等であってもよい。
【００７１】
本実施形態では、蓋体５０にはグリップ部６０が設けられているため、グリップ部６０を持つことで、持ち運びが容易となる。なお、グリップ部６０を握って洗浄器具１Ａを持ち上げたとき、蓋体５０が浴槽１０から外れないようにする構造を備えていることが好ましい。そのような構造として、従来公知の各種の構造を採用することができる。例えば、蓋体５０の蓋本体５５に係止片があり、浴槽１０の側板１４の上部に上記係止片が係止可能な係止孔が形成され、浴槽１０に蓋体５０を被せたとき、上記係止片が上記係止孔に嵌め込まれることで、蓋体５０が浴槽１０に取り付けられていてもよい。
【００７２】
本実施形態では、図２に示すように、浴槽１０には、ベルト２０のうち浴槽１０内における最下端部の底板１２からの高さを調節する高さ調節機構であるベルト固定具２２が設けられている。このベルト固定具２２は、ベルト２０の長さを調節する長さ調節機構も構成している。また、本実施形態では、ベルト固定具２２によって、ベルト２０はベルト２０が架け渡された側板１４に沿ってスライド可能に構成されている。このように、ベルト固定具２２によって、浴槽１０に固定されるベルト２０の位置を調節することで、様々な大きさの（特に、脚の長さが異なる）ペットＰに対して、姿勢を一定に保持することができる。また、このことによって、ベルト２０でペットＰを支えつつ、ペットＰの足を床面に付かせることができる。ペットＰの腹部がベルト２０によって支えられていると、ペットＰは安心し、おとなしくなりやすい。よって、ペットＰのストレスを緩和することができる。
【００７３】
本実施形態では、蓋体５０の脚部６５は長さ調整自在伸縮自在に構成されている。このことによって、飼い主の好みに合わせて、蓋体５０の脚部６５の高さを調節することができる。よって、飼い主が好みの高さの蓋体５０に座って、あまり屈む必要がなく、ペットＰを洗うことができるため、飼い主の身体の負担を好適に軽減することができる。
【００７４】
本実施形態では、図７に示すように、脚部６５には、脚部滑り止め手段である滑り止めキャップ６８が設けられている。このことによって、蓋体５０が床面に対して滑ることを防止することができる。そのため、飼い主が、蓋体５０に座ってペットＰを洗う際、蓋体５０に座ることに起因して、滑って怪我をすることを未然に防ぐことができる。
【００７５】
本実施形態では、図９に示すように、脚部６５は、蓋本体５５の下面に取り付けられている。このことによって、浴槽１０の上に蓋体５０を被せたとき、脚部６５は浴槽１０の中に位置する。よって、脚部６５を蓋本体５５に取り付けた状態のまま浴槽１０内に収納することができる。また、洗浄器具１Ａをコンパクトに収納することができる。
【００７６】
本実施形態では、図５に示すように、浴槽１０の下面１３には、滑り止め手段である滑り止め板３０が設けられている。このことによって、ペットＰを洗う際、ペットＰが暴れて浴槽１０が動くことを防止することができる。よって、飼い主は、ペットＰを容易に洗うことができる。
【００７７】
本実施形態では、図３に示すように、浴槽１０には、浴槽１０の内外を貫く水抜き孔２５が形成され、水抜き孔２５にはフィルタ２７が設けられている。このことによって、浴槽１０内に溜まった水を、水抜き孔２５を通して浴槽１０の外部へ流すことができる。ペットＰを洗う際、上述したようにペットＰの抜け毛等が浴槽１０内に溜まることがある。しかし、本実施形態では、ペットＰの毛を水抜き孔２５から流すことで、フィルタ２７にペットＰの毛を捕捉することができるので、ペットＰの毛が外部に流出することを防止することができる。また、フィルタ２７にペットＰの毛が溜まるので、ペットＰの抜け毛を容易に処分することができる。
【００７８】
本実施形態のペット用洗浄器具セット１００は、図１４に示すように、洗浄器具１Ａと、浴槽１０に着脱自在に設けられ、ペットＰを上に載せて乾かすことが可能な載せ板７０と、を備えている。載せ板７０には、複数の孔７２が形成されている。このことによって、ペットＰを載せ板７０を介して浴槽１０の上に載せることができる。そのため、飼い主は、あまり体を屈めることなく、ペットＰの全身を浴槽１０の上で乾かすことができるため、飼い主の体の負担を軽減することができる。また、載せ板７０には複数の孔７２が形成されているため、ペットＰの全身を乾かす際、ペットＰから落ちる水が載せ板７０の孔７２を通して下に落ちる。そのため、載せ板７０の上に水が溜まりにくく、ペットＰの全身を乾かしやすい。また、載せ板７０を浴槽１０の上に配置することで、踏み台として利用することができる。
【００７９】
なお、本実施形態に係るペット用洗浄器具１Ａは、ペットＰのうち高齢となったペットＰに対して有用である。高齢となったペットＰは、脚力が弱まることによって自ら立ち上がるのが困難な場合が考えられる。この場合、ペットＰの腹部は床面に付いた状態になり、飼い主がペットＰの腹部を洗うことが困難である。しかし、高齢となったペットＰをペット用洗浄器具１Ａのベルト２０に載せて、ペットＰの腹部を支える。このことによって、ペットＰは、姿勢を一定に保持され、立った状態または座ったとなる。よって、飼い主は、ペットＰを容易に洗うことができる。
【００８０】
＜第２実施形態＞
本発明に係るペット用洗浄器具において、姿勢保持手段のうち浴槽内における最下端部の底板からの高さを調節する高さ調節機構は、以下のようなものであってもよい。図１７は、第２実施形態に係るペット用洗浄器具１Ｂにおける浴槽１０の斜視図である。
【００８１】
本実施形態では、図１７に示すように、姿勢保持手段の一例であるベルト２０は、ベルト固定具２２によって、浴槽１０の側板１４の上端部１５に固定されると共に、調節固定具２３によって、浴槽１０の側板１４の内側に固定されている。調節固定具２３は、本実施形態における、ベルト２０のうち浴槽１０内における最下端部の底板１２からの高さを調節する高さ調節機構として機能する。調節固定具２３は、ベルト２０の長さ方向における途中の部分を側板１４に固定している。ここでは、ベルト２０の側板１４に固定する位置を適宜変更する、または、側板１４のベルト２０を固定する位置を適宜変更することで、ベルト２０の高さを調節することができる。例えば、調節固定具２３によって側板１４に固定されるベルト２０の位置が、ベルト２０の長さ方向における中央部分に近づくに従って、ベルト２０のうち浴槽１０内における最下端部の底板１２からの高さが低くなる。また、調節固定具２３によってベルト２０が固定される側板１４の位置が、下端部に近づくに従って、ベルト２０のうち浴槽１０内における最下端部の底板１２からの高さが低くなる。なお、調節固定具２３によってベルト２０を側板１４に固定する構造は何ら限定されず、公知の各種の構造を採用することができる。例えば、側板１４の内側には溝が形成され、調節固定具２３には上記溝に嵌め込み可能な係止片が形成されており、側板１４の上記溝に調節固定具２３の上記係止片を嵌め込むことによって、ベルト２０を側板１４に固定するものであってもよい。
【００８２】
本実施形態では、第１実施形態と同様に、ベルト２０の下端部の底板１２からの高さを調節することで、様々な大きさのペットＰに対して、姿勢を一定に保持することができる。また、ベルト２０でペットＰを支えつつ、ペットＰの足を床面に付かせることができ、ペットＰのストレスを緩和することができる。
【００８３】
＜第３実施形態＞
本発明に係るペット用洗浄器具において、姿勢保持手段における側板に沿ってスライド可能にする構成は、以下のようなものであってもよい。図１８は、第３実施形態に係るペット用洗浄器具１Ｃにおける浴槽１０の斜視図である。
【００８４】
本実施形態では、図１８に示すように、浴槽１０の側板１４のうち、右側板１４Ｒおよび左側板１４Ｌの上部には、前後方向に延びるスリット２８が形成されている。姿勢保持手段の一例であるベルト２０は、スリット２８に挿入することによって、浴槽１０の側板１４に架け渡されている。このような状態において、ベルト２０の先端は側板１４の外側に位置する。本実施形態では、スリット２８の上下方向の長さは、ベルト２０が挿入できる程度の長さであることが好ましい。スリット２８の前後方向の長さは、ベルト２０の幅方向の長さよりも長い。そのため、ベルト２０を挿入するスリット２８の位置を適宜変更することによって、ベルト２０は、前後方向に移動可能となる。このように、本実施形態では、ベルト２０は、スリット２８によって、ベルト２０が架け渡された側板１４（ここでは、右側板１４Ｒおよび左側板１４Ｌ）に沿ってスライド可能となる。また、本実施形態では、ベルト固定具２２と側板１４との間にベルト２０を挟み込むことによって、ベルト２０は側板１４の上端部１５に固定されている。ここでは、ベルト固定具２２は、側板１４の上端部１５を嵌め込んだ状態においてスリット２８の一部を覆うような大きさである。なお、スリット２８は、側板１４とは別部材に形成され、その別部材を側板１４に取り付けるような構造であってもよい。この場合、別部材も含めて側板１４とする。
【００８５】
本実施形態では、上記各実施形態と同様に、ベルト２０は、ベルト２０が架け渡された側板１４に沿ってスライド可能に構成されているため、様々な大きさのペットＰに対して、姿勢を一定に保持することができる。また、ベルト２０でペットＰを支えつつ、ペットＰの足を床面に付かせることができ、ペットＰのストレスを緩和することができる。
【００８６】
＜他の実施形態＞
上記各実施形態では、姿勢保持手段の一例であるベルト２０は、浴槽１０における側板１４の右側板１４Ｒおよび左側板１４Ｌの中央部分の上端部１５に架け渡され、上端部１５に固定されていた。しかし、本発明に係る姿勢保持手段は、側板１４の右側板１４Ｒおよび左側板１４Ｌの中央部分の上端部１５に架け渡されていなくてもよい。図１９は、他の実施形態に係るペット用洗浄器具１Ｄにおける浴槽１０の斜視図である。図１９に示すように、本実施形態では、ベルト２０は、浴槽１０における側板１４の右側板１４Ｒおよび左側板１４Ｌの中央部分よりも後側の上端部１５に架け渡され、上端部１５に固定されている。このことによって、ペットＰの腹部のうち後脚に近い部位がベルト２０によって支えられる。一般的に、ペットＰは前脚よりも後脚の方が脚力が強い。また、ペットＰが高齢化したときに姿勢補助の必要性が高いのは後脚の方である。そのため、ペットＰの腹部のうち後脚に近い部位をベルト２０によって支えることで、より好適にペットＰを支えることができる。また、右側板１４Ｒおよび左側板１４Ｌの上端部１５に固定するベルト固定具２２の位置を変えることで、ベルト２０を浴槽１０における側板１４の右側板１４Ｒおよび左側板１４Ｌの中央部分よりも前側の上端部１５に架け渡すことが可能である。この場合、ペットＰの腹部のうち前脚に近い部位がベルト２０によって支えられるので、ペットＰは座った姿勢をとることができる。飼い主は、ペットＰを座らせて洗うことができる。
【００８７】
上記実施形態では、姿勢保持手段であるベルト２０は１本であったが、複数あってもよい。例えば、姿勢保持手段が２本のベルト２０である場合、一方のベルト２０が側板１４の右側板１４Ｒおよび左側板１４Ｌに架け渡され、他方のベルト２０が側板１４の前側板１４Ｆおよび後側板１４Ｒｅに架け渡されていてもよい。また、２つのベルト２０が側板１４の右側板１４Ｒおよび左側板１４Ｌに架け渡されていてもよい。また、ベルト２０にペットＰの脚を通すための孔が形成されていてもよい。
【００８８】
上記実施形態では、姿勢保持手段は、ベルト２０であった。しかし、姿勢保持手段は、ベルトでなくてもよい。例えば、姿勢保持手段は、浴槽１０の底板１２の上方に配置されるように側板１４（詳しくは、右側板１４Ｒおよび左側板１４Ｌ）の上端部１５に架け渡された複数の線状体であってもよい。この線状体は、伸縮自在であり、弾性を備えていることが好ましい。上記線状体であっても、上記線状体と側板１４との間にペットＰの脚を入れて上記線状体によってペットＰの腹部を支えることで、ペットＰの姿勢を保持することができる。また、上記複数の線状体は、所定の間隔をあけて、側板１４に架け渡されていてもよい。この場合、上記所定の間隔にペットＰの脚を入れて、上記線状体によってペットＰの腹部を支える。
【００８９】
また、姿勢保持手段は、伸縮自在であり、弾性を備えた板であってもよい。この場合、上記板と側板１４との間には、ペットＰの脚を入れるための隙間が形成されているとよく、上記隙間にペットＰの脚を入れて、上記板によってペットＰの腹部を支える。
【符号の説明】
【００９０】
１Ａ、１Ｂ、１Ｃ、１Ｄ  洗浄器具（ペット用洗浄器具）
１０  浴槽
１２  底板
１４  側板
２０  ベルト（姿勢保持器具）
２５  水抜き孔
２７  フィルタ
３０  滑り止め板（滑り止め手段）
５０  蓋体
５５  蓋本体
６０  グリップ部
６５  脚部
６８  滑り止めキャップ（脚部滑り止め手段）
７０  載せ板
１００  ペット用洗浄器具セット
【図１】
2014171455.tif 000003
【図２】
2014171455.tif 000004
【図３】
2014171455.tif 000005
【図４】
2014171455.tif 000006
【図５】
2014171455.tif 000007
【図６】
2014171455.tif 000008
【図７】
2014171455.tif 000009
【図８】
2014171455.tif 000010
【図９】
2014171455.tif 000011
【図１０】
2014171455.tif 000012
【図１１】
2014171455.tif 000013
【図１２】
2014171455.tif 000014
【図１３】
2014171455.tif 000015
【図１４】
2014171455.tif 000016
【図１５】
2014171455.tif 000017
【図１６】
2014171455.tif 000018
【図１７】
2014171455.tif 000019
【図１８】
2014171455.tif 000020
【図１９】
2014171455.tif 000021